(57)【要約】【課題】画像処理のパラメータをユーザに意識させずに、従来のものより自由かつ簡単に画像処理のパラメータの値を設定させることができる画像編集装置を提供すること。【解決手段】画像処理を実行する画像処理部１２と、画像処理に利用されるパラメータの基準値を決定するパラメータ基準値決定部１３と、パラメータの変動幅を決定するパラメータ変動幅決定部１４と、基準値をパラメータの値とした画像処理の結果を表す第１プレビュー画像、および、基準値を変動幅で変動させていった値をパラメータの値とした画像処理の結果を表す少なくとも１つの第２プレビュー画像を表示するプレビュー表示部１５と、第１および第２プレビュー画像から１つのプレビュー画像を選択させるプレビュー画像選択部１６とを備える。【選択図】図２
2010187093.tif 000002
【特許請求の範囲】
【請求項１】
画像処理を実行する画像処理部と、
前記画像処理に利用されるパラメータの基準値を決定するパラメータ基準値決定部と、
前記パラメータの変動幅を決定するパラメータ変動幅決定部と、
前記パラメータ基準値決定部によって決定された基準値を前記パラメータの値とした前記画像処理の結果を表す第１プレビュー画像、および、前記パラメータ変動幅決定部によって決定された変動幅で前記基準値を変動させていった値を前記パラメータの値とした前記画像処理の結果を表す少なくとも１つの第２プレビュー画像を表示するプレビュー表示部と、
前記第１および第２プレビュー画像から１つのプレビュー画像を選択させるプレビュー画像選択部と、を備える画像編集装置。
【請求項２】
前記パラメータ基準値決定部が、前記画像処理の処理対象の画像を解析して得られる該画像の特徴に基づいて前記パラメータの基準値を決定することを特徴とする請求項１に記載の画像編集装置。
【請求項３】
前記パラメータ変動幅決定部が、前記画像処理の処理対象の画像を解析して得られる該画像の特徴に基づいて前記パラメータの変動幅を決定することを特徴とする請求項１または請求項２に記載の画像編集装置。
【請求項４】
前記画像処理部が、２値化処理、平滑化処理、鮮鋭化処理、明度調整処理、コントラスト調整処理、彩度調整処理、色相調整処理、ガンマ補正処理、ヒストグラム調整処理、グレースケール変換処理の少なくとも１つを前記画像処理として実行することを特徴とする請求項１乃至請求項３の何れかに記載の画像編集装置。
【請求項５】
前記プレビュー画像選択部が、前記パラメータの値を調整させるために前記プレビュー画像を選択させる第１選択機能と、前記パラメータの値を決定させるために前記プレビュー画像を選択させる第２選択機能と、を有することを特徴とする請求項１乃至請求項４の何れかに記載の画像編集装置。
【請求項６】
前記プレビュー表示部が、前記第１および第２プレビュー画像を１次元に並べて表示することを特徴とする請求項１乃至請求項５の何れかに記載の画像編集装置。
【請求項７】
前記プレビュー表示部が、前記第１および第２プレビュー画像を全て同じサイズで表示することを特徴とする請求項６に記載の画像編集装置。
【請求項８】
前記プレビュー表示部が、前記第１および第２プレビュー画像の間に、目盛りを表す記号と、該当する位置に対応する値を前記パラメータの値とした前記画像処理の結果を表す第３プレビュー画像との少なくとも一方を表示することを特徴とする請求項６に記載の画像編集装置。
【請求項９】
前記プレビュー表示部が、前記第１および第２プレビュー画像を２次元に並べて表示することを特徴とする請求項１乃至請求項５の何れかに記載の画像編集装置。
【請求項１０】
前記プレビュー表示部が、前記パラメータのうち、第１パラメータの値を変動させていった前記画像処理の結果を表すプレビュー画像を走査方向に並べて表示し、該画像処理の各結果に対して、第２パラメータの値を変動させていった前記画像処理の結果を表すプレビュー画像を副走査方向に並べて表示することを特徴とする請求項９に記載の画像編集装置。
【請求項１１】
前記プレビュー表示部が、前記第１および第２プレビュー画像を全て同じサイズで表示することを特徴とする請求項９または請求項１０に記載の画像編集装置。
【請求項１２】
前記プレビュー表示部が、前記第１および第２プレビュー画像を３次元的に並べて表示することを特徴とする請求項１乃至請求項５の何れかに記載の画像編集装置。
【請求項１３】
前記プレビュー表示部が、前記パラメータのうち、第１パラメータの値を変動させていった前記画像処理の結果を表すプレビュー画像を走査方向に並べて表示し、該画像処理の各結果に対して、第２パラメータの値を変動させていった前記画像処理の結果を表すプレビュー画像を副走査方向に並べて表示し、該画像処理の各結果に対して、第３パラメータの値を変動させていった前記画像処理の結果を表すプレビュー画像を奥行方向に並べて表示することを特徴とする請求項１２に記載の画像編集装置。
【請求項１４】
前記プレビュー表示部が、前記第１および第２プレビュー画像を全て同じサイズで表示し、奥行方向に並べて表示するプレビュー画像同士の少なくとも一部を重ねて表示することを特徴とする請求項１２または請求項１３に記載の画像編集装置。
【請求項１５】
画像処理を実行する画像処理ステップと、
前記画像処理に利用されるパラメータの基準値を決定するパラメータ基準値決定ステップと、
前記パラメータの変動幅を決定するパラメータ変動幅決定ステップと、
前記パラメータ基準値決定ステップで決定された基準値を前記パラメータの値とした前記画像処理の結果を表す第１プレビュー画像、および、前記パラメータ変動幅決定ステップで決定された変動幅で前記基準値を変動させていった値を前記パラメータの値とした前記画像処理の結果を表す少なくとも１つの第２プレビュー画像を表示装置に表示させるプレビュー表示ステップと、
前記第１および第２プレビュー画像から１つのプレビュー画像を選択させるプレビュー画像選択ステップと、をコンピュータに実行させるための画像編集プログラム。
【請求項１６】
請求項１５に記載の画像編集プログラムがコンピュータに読み取り可能に記録された記録媒体。
【発明の詳細な説明】
【技術分野】
【０００１】
本発明は、画像編集装置に関し、特に、パラメータを要する画像処理によって画像を編集する画像編集装置に関する。
【背景技術】
【０００２】
画像処理によって画像を編集する画像編集ソフトウェアとして、有料のものから無料のものまで多種多様なものが提供されている。画像に対して適用する画像処理の例としては、画像を白黒に変換する２値化処理、画像の輝度変化を緩やかにする平滑化処理、および、文字などの輪郭をはっきりさせる鮮鋭化処理等が挙げられる。
【０００３】
ユーザが画像に対してある画像処理を施したい場合には、画像編集ソフトウェアにおいて目的の画像処理を指定し、その強度等を表す各種のパラメータの値を設定する必要がある。一般的な画像編集ソフトウェアでは、ユーザが予め定められた範囲の中からパラメータの値を選択する方法が一般的に用いられている。
【０００４】
例えば、２値化処理においては、ユーザは０から２５５の間の１つの値を選択し、０に近い値を選べば白い部分の多い明るい白黒画像が得られ、２５５に近い値を選べば黒い部分の多い暗い白黒画像が得られる。
【０００５】
パラメータの値の選択方法や範囲は、画像編集ソフトウェアによって異なるものの、多くの画像編集ソフトウェアではユーザが値を直接入力するか、スライダ等のコントローラを用いて値を選択する必要がある。
【０００６】
しかし、今までの画像編集ソフトウェアで特定の画像処理を実行する際には、実行する画像処理のパラメータの値をユーザが指定する必要があり、具体的にどのような値を設定すればよいかが分かりにくい。
【０００７】
特に、これらパラメータの値は、画像処理にとって意味のある値であっても、ユーザにとって意味のある値であるとは限らない。例えば、２値化処理の場合には、パラメータの値として、各画素を白にするか黒にするかを決定するための閾値が指定されるが、どの値を選べばどのような白黒画像が得られるかということがユーザにとって直感的に分かりづらい。
【０００８】
この分かりにくさを改善するために、ユーザによってパラメータの値が指定されると、指定されたパラメータの値で画像処理を実行し、画像処理の結果を表すプレビュー画像を表示させる画像編集ソフトウェアがある。
【０００９】
しかしながら、ユーザにとってパラメータの値と画像処理の結果とが直接的に結びつかず、パラメータの値の選択が困難である上に、目的とする画像を得るために複数の結果画像を見比べながらパラメータの値を細かく調整したり、パラメータの値を変更した後で１つ前の値に戻したりといった作業を要する。
【００１０】
ユーザが画像処理を実行させる目的は、意図した画像を得ることであってパラメータの値を決定することではないため、ユーザがパラメータを意識することなく目的とする画像を得ることができる仕組みが必要である。
【００１１】
このような仕組みを実現するものとして、複数の画像処理を異なる順番で適用した結果を表示し、ユーザに好みの処理結果を選択させることによって、画像編集に不慣れなユーザであっても容易に画像編集ができるようにしたものがある（例えば、特許文献１参照）。
【発明の概要】
【発明が解決しようとする課題】
【００１２】
しかしながら、上述した従来の技術においては、ユーザが選択できるのは画像処理の処理順序であり、画像処理のパラメータの値は自動的に決定されてしまうため、ユーザが画像処理のパラメータの値を自由かつ簡単に設定することができないという課題があった。
【００１３】
本発明は、このような従来の課題を解決するためになされたもので、画像処理のパラメータをユーザに意識させずに、従来のものより自由かつ簡単に画像処理のパラメータの値を設定させることができる画像編集装置を提供することを目的とする。
【課題を解決するための手段】
【００１４】
本発明の画像編集装置は、画像処理を実行する画像処理部と、前記画像処理に利用されるパラメータの基準値を決定するパラメータ基準値決定部と、前記パラメータの変動幅を決定するパラメータ変動幅決定部と、前記パラメータ基準値決定部によって決定された基準値を前記パラメータの値とした前記画像処理の結果を表す第１プレビュー画像、および、前記パラメータ変動幅決定部によって決定された変動幅で前記基準値を変動させていった値を前記パラメータの値とした前記画像処理の結果を表す少なくとも１つの第２プレビュー画像を表示するプレビュー表示部と、前記第１および第２プレビュー画像から１つのプレビュー画像を選択させるプレビュー画像選択部と、を備えた構成を有している。
【００１５】
この構成により、本発明の画像編集装置は、決定した基準値をパラメータの値とした画像処理の結果を表すプレビュー画像と、決定した変動幅で基準値を変動させていった値をパラメータの値とした画像処理の結果を表すプレビュー画像とを表示し、表示したプレビュー画像から１つのプレビュー画像をユーザに選択させていくことにより画像処理のパラメータの値を設定させるため、画像処理のパラメータをユーザに意識させずに、従来のものより自由かつ簡単に画像処理のパラメータの値を設定させることができる。
【００１６】
なお、前記パラメータ基準値決定部が、前記画像処理の処理対象の画像を解析して得られる該画像の特徴に基づいて前記パラメータの基準値を決定するようにしてもよい。
【００１７】
この構成により、本発明の画像編集装置は、画像処理のパラメータの基準値の初期値として、処理対象の画像に対して適した値をユーザに提示することができる。
【００１８】
また、前記パラメータ変動幅決定部が、前記画像処理の処理対象の画像を解析して得られる該画像の特徴に基づいて前記パラメータの変動幅を決定するようにしてもよい。
【００１９】
この構成により、本発明の画像編集装置は、画像処理のパラメータの変動幅の初期値として、処理対象の画像に対して適した値をユーザに提示することができる。
【００２０】
前記画像処理部は、２値化処理、平滑化処理、鮮鋭化処理、明度調整処理、コントラスト調整処理、彩度調整処理、色相調整処理、ガンマ補正処理、ヒストグラム調整処理、グレースケール変換処理の少なくとも１つを前記画像処理として実行する。
【００２１】
前記プレビュー画像選択部は、前記パラメータの値を調整させるために前記プレビュー画像を選択させる第１選択機能と、前記パラメータの値を決定させるために前記プレビュー画像を選択させる第２選択機能と、を有する。
【００２２】
また、前記プレビュー表示部が、前記第１および第２プレビュー画像を１次元に並べて表示するようにしてもよい。
【００２３】
このとき、前記プレビュー表示部は、前記第１および第２プレビュー画像を全て同じサイズで表示するようにしてもよい。
【００２４】
また、前記プレビュー表示部が、前記第１および第２プレビュー画像の間に、目盛りを表す記号と、該当する位置に対応する値を前記パラメータの値とした前記画像処理の結果を表す第３プレビュー画像との少なくとも一方を表示するようにしてもよい。
【００２５】
この構成により、本発明の画像編集装置は、一画面上で選択できるパラメータの値の数を多くすることにより、ユーザがプレビュー画像を選択するための操作回数を抑えることができ、パラメータの値を設定するためにユーザにかかる手間を省くことができる。
【００２６】
また、前記プレビュー表示部が、前記第１および第２プレビュー画像を２次元に並べて表示するようにしてもよい。
【００２７】
例えば、前記プレビュー表示部が、前記パラメータのうち、第１パラメータの値を変動させていった前記画像処理の結果を表すプレビュー画像を走査方向に並べて表示し、該画像処理の各結果に対して、第２パラメータの値を変動させていった前記画像処理の結果を表すプレビュー画像を副走査方向に並べて表示するようにしてもよい。
【００２８】
この構成により、本発明の画像編集装置は、画像処理のパラメータをユーザに意識させずに、２つの画像処理のパラメータの各値、または、１つの画像処理の２つのパラメータの各値を従来のものより自由かつ簡単に設定させることができる。
【００２９】
ここで、前記プレビュー表示部が、前記第１および第２プレビュー画像を全て同じサイズで表示するようにしてもよい。
【００３０】
また、前記プレビュー表示部が、前記第１および第２プレビュー画像を３次元的に並べて表示するようにしてもよい。
【００３１】
例えば、前記プレビュー表示部が、前記パラメータのうち、第１パラメータの値を変動させていった前記画像処理の結果を表すプレビュー画像を走査方向に並べて表示し、該画像処理の各結果に対して、第２パラメータの値を変動させていった前記画像処理の結果を表すプレビュー画像を副走査方向に並べて表示し、該画像処理の各結果に対して、第３パラメータの値を変動させていった前記画像処理の結果を表すプレビュー画像を奥行方向に並べて表示するようにしてもよい。
【００３２】
この構成により、本発明の画像編集装置は、画像処理のパラメータをユーザに意識させずに、３つの画像処理のパラメータの各値、１つの画像処理の２つのパラメータの各値と１つの画像処理の１つのパラメータの各値との組み合わせ、または、１つの画像処理の３つのパラメータの各値を従来のものより自由かつ簡単に設定させることができる。
【００３３】
また、前記プレビュー表示部が、前記第１および第２プレビュー画像を全て同じサイズで表示し、奥行方向に並べて表示するプレビュー画像同士の少なくとも一部を重ねて表示するようにしてもよい。
【００３４】
この構成により、本発明の画像編集装置は、第１および第２プレビュー画像を３次元的に並べて表示することができる。
【００３５】
また、本発明の画像編集プログラムは、画像処理を実行する画像処理ステップと、前記画像処理に利用されるパラメータの基準値を決定するパラメータ基準値決定ステップと、前記パラメータの変動幅を決定するパラメータ変動幅決定ステップと、前記パラメータ基準値決定ステップで決定された基準値を前記パラメータの値とした前記画像処理の結果を表す第１プレビュー画像、および、前記パラメータ変動幅決定ステップで決定された変動幅で前記基準値を変動させていった値を前記パラメータの値とした前記画像処理の結果を表す少なくとも１つの第２プレビュー画像を表示装置に表示させるプレビュー表示ステップと、前記第１および第２プレビュー画像から１つのプレビュー画像を選択させるプレビュー画像選択ステップと、をコンピュータに実行させるためのものである。
【００３６】
したがって、本発明の画像編集プログラムは、決定した基準値をパラメータの値とした画像処理の結果を表すプレビュー画像と、決定した変動幅で基準値を変動させていった値をパラメータの値とした画像処理の結果を表すプレビュー画像とを表示装置に表示させ、表示させたプレビュー画像から１つのプレビュー画像をユーザに選択させていくことにより画像処理のパラメータの値を設定させるため、画像処理のパラメータをユーザに意識させずに、従来のものより自由かつ簡単に画像処理のパラメータの値を設定させることができる。
【発明の効果】
【００３７】
本発明は、画像処理のパラメータをユーザに意識させずに、従来のものより自由かつ簡単に画像処理のパラメータの値を設定させることができる画像編集装置を提供することができる。
【図面の簡単な説明】
【００３８】
【図１】本発明の第１の実施の形態としての画像編集装置のハードウェア構成図である。
【図２】本発明の第１の実施の形態としての画像編集装置の機能ブロック図である。
【図３】本発明の第１の実施の形態としての画像編集装置を構成するプレビュー表示部によって表示される画像編集ウィンドウの表示例を示す図である。
【図４】本発明の第１の実施の形態としての画像編集装置を構成するプレビュー表示部によってプレビュー画像が表示された画像編集ウィンドウの表示例を示す図である。
【図５】図４に示したプレビュー画像が選択されたときの画像編集ウィンドウの表示例を示す図である。
【図６】図５に示すようにプレビュー画像が選択された後の画像編集ウィンドウの表示例を示す図である。
【図７】本発明の第１の実施の形態としての画像編集装置の画像編集動作を説明するためのフローチャートである。
【図８】図７に続くフローチャートである。
【図９】図４に示した画像編集ウィンドウにおいて、他のプレビュー画像が選択されたときの画像編集ウィンドウの表示例を示す図である。
【図１０】図９に示すようにプレビュー画像が選択された後の画像編集ウィンドウの表示例を示す図である。
【図１１】本発明の第２の実施の形態としての画像編集装置を構成するプレビュー表示部によって表示される画像編集ウィンドウの表示例を示す図である。
【図１２】本発明の第２の実施の形態としての画像編集装置を構成するプレビュー表示部によって表示される画像編集ウィンドウの他の表示例を示す図である。
【図１３】他のプレビュー画像上にカーソルが置かれたときの図１２に示した画像編集ウィンドウの表示例を示す図である。
【図１４】本発明の第３の実施の形態としての画像編集装置を構成するプレビュー表示部によって表示される画像編集ウィンドウの表示例を示す図である。
【図１５】本発明の第４の実施の形態としての画像編集装置を構成するプレビュー表示部によって表示される画像編集ウィンドウの表示例を示す図である。
【図１６】図１５に示す画像編集ウィンドウの他の表示例を示す図である。
【発明を実施するための形態】
【００３９】
以下、図面を参照して本発明の実施の形態について説明する。
【００４０】
（第１の実施の形態）
図１に示すように、本発明の第１の実施の形態としての画像編集装置１は、ＣＰＵ（Central Processing Unit）２と、ＲＡＭ（Random Access Memory）３と、ＲＯＭ（Read Only Memory）４と、ハードディスク装置５と、キーボード装置やポインティングデバイスからなる入力装置６と、液晶ディスプレイ等よりなる表示装置７と、ＣＤ（Compact Disc）やＤＶＤ（Digital Versatile Disc）等の記憶媒体から情報を読み取る記憶媒体読取装置８と、インターネット網等を介して外部装置と通信するための通信モジュール９とを備えた一般的なコンピュータ装置によって構成されている。
【００４１】
ＲＯＭ４およびハードディスク装置５には、当該コンピュータ装置を本発明の情報通信装置として機能させるためにＣＰＵ２に実行させるためのプログラムが格納されている。ＣＰＵ２は、ＲＡＭ３を作業領域として当該プログラムを実行するようになっている。
【００４２】
また、ハードディスク装置５には、少なくとも１つの画像ファイルが格納されている。この画像ファイルは、記憶媒体読取装置８からハードディスク装置５に読み込まれたものでもよく、通信モジュール９を介してハードディスク装置５に読み込まれたものでもよい。
【００４３】
図２に示すように、画像編集装置１は、画像ファイルを蓄積する画像ファイル蓄積部１０と、画像ファイル蓄積部１０に蓄積された画像ファイルの中から画像処理の処理対象の画像（以下、単に「処理対象画像」という。）を表す画像ファイルをユーザに選択させる画像ファイル選択部１１と、処理対象画像に対して画像処理を実行する画像処理部１２と、画像処理のパラメータの基準値を決定するパラメータ基準値決定部１３と、パラメータの変動幅を決定するパラメータ変動幅決定部１４と、画像処理の結果を表すプレビュー画像を表示するプレビュー表示部１５と、プレビュー表示部１５に表示されたプレビュー画像から１つのプレビュー画像を選択させるプレビュー画像選択部１６とを備えている。
【００４４】
ここで、画像ファイル蓄積部１０は、ハードディスク装置５によって構成され、画像ファイル選択部１１およびプレビュー画像選択部１６は、ＣＰＵ２および入力装置６によって構成される。また、画像処理部１２、パラメータ基準値決定部１３およびパラメータ変動幅決定部１４は、ＣＰＵ２によって構成される。
【００４５】
画像処理部１２は、画像ファイル蓄積部１０に蓄積された画像ファイルの中から画像ファイル選択部１１によって選択された画像ファイルが表す処理対象画像に対して画像処理を実行するようになっている。
【００４６】
具体的には、画像処理部１２は、パラメータ基準値決定部１３によって決定された基準値をパラメータの値とした画像処理と、パラメータ変動幅決定部１４によって決定された変動幅で基準値を変動させていった各値をパラメータの値とした画像処理とを実行するようになっている。
【００４７】
ここで、画像処理部１２によって実行される画像処理としては、２値化処理、平滑化処理、鮮鋭化処理、明度調整処理、コントラスト調整処理、彩度調整処理、色相調整処理、ガンマ補正処理、ヒストグラム調整処理およびグレースケール変換処理等のパラメータを要する画像処理が含まれる。
【００４８】
２値化処理のパラメータには、画像の各画素を白にするか黒にするかを決定するための閾値（例えば、０〜２５５の範囲）が設定される。平滑化処理のパラメータには、加重マトリックスの要素が設定される。
【００４９】
鮮鋭化処理のパラメータには、加重マトリックスの要素が設定される。明度調整処理のパラメータには、明度の補正量を表すオフセットが設定される。コントラスト調整処理のパラメータには、濃度平均の補正量を表すオフセットと、濃度範囲の倍率を表すゲインとの少なくとも一方が設定される。
【００５０】
彩度調整処理のパラメータには、彩度の補正量を表すオフセットが設定される。色相調整処理のパラメータには、色相環の回転角度を表す補正角度が設定される。ガンマ補正処理のパラメータには、ガンマ値が設定される。ヒストグラム調整処理のパラメータには、ヒストグラム平均の補正量を表すオフセットと、ヒストグラム範囲の倍率との少なくとも一方が設定される。グレースケール変換処理のパラメータには、Ｒ、Ｇ、Ｂ成分の各重みが設定される。
【００５１】
パラメータ基準値決定部１３は、画像ファイル選択部１１によって選択された画像ファイルを解析して得られる処理対象画像の特徴に基づいて、画像処理部１２によって実行される画像処理のパラメータの基準値を決定するようになっている。
【００５２】
例えば、画像処理部１２によって２値化処理が実行される場合には、パラメータ基準値決定部１３は、処理対象画像を構成する各画素に割り当てられている画素値の中間値や平均値を基準値として決定するようになっている。
【００５３】
なお、パラメータ基準値決定部１３は、画像処理部１２によって実行される画像処理に応じて予め定められ、ハードディスク装置５等に予め記憶された値を基準値として決定するようにしてもよい。
【００５４】
パラメータ変動幅決定部１４は、画像ファイル選択部１１によって選択された画像ファイルを解析して得られる処理対象画像の特徴に基づいて、画像処理部１２によって実行される画像処理のパラメータの変動幅を決定するようになっている。
【００５５】
例えば、画像処理部１２によって２値化処理が実行される場合には、パラメータ変動幅決定部１４は、処理対象画像を構成する各画素に割り当てられている画素値の最大値と最小値との差を予め定められた数値で除算した値を変動幅として決定するようになっている。
【００５６】
なお、パラメータ変動幅決定部１４は、画像処理部１２によって実行される画像処理に応じて予め定められ、ハードディスク装置５等に予め記憶された値を変動幅として決定するようにしてもよい。
【００５７】
プレビュー表示部１５は、パラメータ基準値決定部１３によって決定された基準値をパラメータの値とした画像処理の結果を表す第１プレビュー画像、および、パラメータ変動幅決定部１４によって決定された変動幅で基準値を変動させていった値をパラメータの値とした画像処理の結果を表す第２プレビュー画像を表示するようになっている。
【００５８】
例えば、プレビュー表示部１５は、図３に示すような画像編集ウィンドウ３０を表示するようになっている。この画像編集ウィンドウ３０には、画像ファイル選択部１１によって選択された画像ファイルが表すオリジナルの処理対象画像を表示するためのオリジナル画像表示領域３１と、処理対象画像に対する画像処理の結果を表すプレビュー画像を表示するためのプレビュー画像表示領域３２と、ファイル操作に関するメニューを表示するファイルボタン３３と、画像処理に関するメニューを表示するエフェクトボタン３４と、付加的な設定に関するメニューを表示するオプションボタン３５とが割り当てられる。
【００５９】
なお、図３においては、ファイルボタン３３と、エフェクトボタン３４と、オプションボタン３５との３つのボタンが示されているが、画像編集ウィンドウ３０に割り当てるボタンの数を限定するものではなく、必要に応じて適宜増減させてもよい。
【００６０】
また、オリジナル画像表示領域３１は、画像編集ウィンドウ３０に必ず設ける必要はないが、オリジナルの処理対象画像とプレビュー画像表示領域３２に表示される各プレビュー画像とをユーザが見比べながらパラメータを選択できるように設けられている。
【００６１】
図４に示すように、プレビュー表示部１５は、画像ファイル選択部１１によって画像ファイルが選択されると、選択された画像ファイルが表すオリジナルの処理対象画像３６をオリジナル画像表示領域３１に表示するようになっている。
【００６２】
画像ファイル選択部１１による画像ファイルの選択は、例えば、入力装置６を用いてファイルボタン３３が操作されることにより表示されるメニュー項目の一覧から「開く」が選択されることにより表示される画像ファイルの一覧から１つの画像ファイルをユーザに選択させることによって行われる。
【００６３】
さらに、プレビュー表示部１５は、入力装置６を用いてエフェクトボタン３４が操作されることにより表示される画像処理の一覧から画像処理部１２に実行させる画像処理が選択されると、図４に示すように、画像編集ウィンドウ３０のプレビュー画像表示領域３２にプレビュー画像を表示するようになっている。
【００６４】
なお、図４は、基準値が１９２であり、変動幅が３２であるときに、画像処理部１２によって２値化処理が実行された場合の表示例を示している。また、図４においては、３個のプレビュー画像が示されているが、本発明においては、プレビュー表示部１５は、基準値に対応するプレビュー画像を含む、少なくとも２個のプレビュー画像をプレビュー画像表示領域３２に表示するようにすればよい。
【００６５】
プレビュー表示部１５は、パラメータ基準値決定部１３によって決定された基準値をパラメータの値とした画像処理の結果を表す第１プレビュー画像３７と、パラメータ変動幅決定部１４によって決定された変動幅で基準値を変動させていった値をパラメータの値とした画像処理の結果を表す第２プレビュー画像３８、３９とを全て同じサイズでプレビュー画像表示領域３２に表示するようになっている。ここで、プレビュー表示部１５は、プレビュー画像３７乃至３９を対応するパラメータの値に応じた順序で１次元に並べて表示するようになっている。
【００６６】
また、プレビュー表示部１５は、各プレビュー画像３７乃至３９の下方に、パラメータの値を表示するようになっている。このパラメータの値の表示は、省いてもよいし、オプションボタン３５が操作されることにより表示される図示しない設定ウィンドウ上でオン／オフできるようにしてもよい。
【００６７】
なお、オリジナル画像表示領域３１とプレビュー画像表示領域３２とに実サイズの画像を表示すると、画像編集ウィンドウ３０のサイズが大きくなってしまったり、メモリ消費量が多くなってしまったりするため、プレビュー表示部１５は、処理対象画像を縮小したサムネール画像を作成してオリジナル画像表示領域３１に表示し、画像処理の結果を縮小したサムネール画像をプレビュー画像として作成してプレビュー画像表示領域３２に表示するようにすることが望ましい。
【００６８】
図２において、プレビュー画像選択部１６は、プレビュー表示部１５によって図４に示したように表示されたプレビュー画像３７乃至３９から１つのプレビュー画像をユーザに選択させるようになっている。
【００６９】
プレビュー画像選択部１６は、パラメータの値を調整させるためにユーザにプレビュー画像を選択させる第１選択機能と、パラメータの値を決定させるためにプレビュー画像を選択させる第２選択機能を有する。
【００７０】
具体的には、第１選択機能は、例えば、入力装置６によってプレビュー画像がクリックされたときに作動し、プレビュー画像選択部１６は、クリックされたプレビュー画像に対応するパラメータの値に基づいて、パラメータ基準値決定部１３およびパラメータ変動幅決定部１４に基準値および変動幅を再度決定させ、画像処理部１２に画像処理を再度実行させるようになっている。
【００７１】
ここで、パラメータ基準値決定部１３は、選択されたプレビュー画像に対応するパラメータの値を新たな基準値として決定し、パラメータ変動幅決定部１４は、現状の変動幅より短くなるよう新たな変動幅を決定するようになっている。
【００７２】
例えば、図５に示すように、入力装置６を用いてプレビュー画像３７がクリックされた場合には、パラメータ基準値決定部１３は、基準値を１９２に決定し、パラメータ変動幅決定部１４は、変動幅を半分にした１６に決定する。
【００７３】
そして、画像処理部１２は、パラメータの値を１７６および２０８とした２値化処理をそれぞれ実行し、プレビュー表示部１５は、図６に示すように、プレビュー画像３８、３９を更新する。このとき、プレビュー表示部１５は、基準値に対応するプレビュー画像３７をすでに作成しているため、新たに作成する必要はない。
【００７４】
一方、第２選択機能は、例えば、入力装置６を用いてファイルボタン３３が操作されることにより表示されるメニュー項目の一覧から「保存」が選択されたときに作動し、プレビュー画像選択部１６は、第２選択機能を用いて、選択されているプレビュー画像に対応するパラメータの値で行われた画像処理の結果を表す画像ファイルを画像処理部１２に生成させて、画像ファイル蓄積部１０に蓄積させるようになっている。
【００７５】
ここで、選択されているプレビュー画像の実サイズの画像を表すデータが画像処理部１２に保持されていない場合には、画像処理部１２は、選択されたプレビュー画像に対応するパラメータの値で画像処理部１２に処理対象の画像に対する画像処理を再度実行し、画像処理の結果を表す画像ファイルを生成し、画像ファイル蓄積部１０に蓄積するように構成する。
【００７６】
以上のように構成された画像編集装置１について、図７および図８を参照してその画像編集動作を説明する。
【００７７】
図７において、まず、画像ファイル選択部１１によって処理対象の画像を表す画像ファイルが選択されると（ステップＳ１）、画像編集装置１の動作は、画像処理部１２に実行させる画像処理の種別が選択されるのを待つ（ステップＳ２）。
【００７８】
画像処理部１２に実行させる画像処理が選択されると、選択された画像ファイルを解析して得られた処理対象の画像の特徴に基づいて、画像処理部１２によって実行される画像処理のパラメータの基準値がパラメータ基準値決定部１３によって決定され（ステップＳ３）、この基準値をパラメータの値とした処理対象の画像に対する画像処理が画像処理部１２によって実行される（ステップＳ４）。
【００７９】
さらに、画像ファイル選択部１１によって選択された画像ファイルを解析して得られた処理対象の画像の特徴に基づいて、画像処理部１２によって実行される画像処理のパラメータの変動幅がパラメータ変動幅決定部１４によって決定され（ステップＳ５）、この変動幅で基準値を変動させていった各値をパラメータの値とした処理対象の画像に対する画像処理が画像処理部１２によって実行される（ステップＳ６）。
【００８０】
なお、ステップＳ６において、対応するプレビュー画像がすでに作成されているパラメータの値に対しては、画像処理部１２による画像処理は、スキップされる。
【００８１】
次に、ステップＳ４およびＳ６で実行された画像処理の各結果を表すプレビュー画像がプレビュー表示部１５によって表示される（ステップＳ７）。図８において、画像編集装置１の動作は、プレビュー画像選択部１６によってプレビュー画像が選択されるのを待つ（ステップＳ８）。
【００８２】
プレビュー画像選択部１６によってプレビュー画像が選択されると、この選択がパラメータの値を調整させるための選択でない場合（ステップＳ９：ＮＯ）、すなわち、パラメータの値を決定させるための選択である場合には、選択されたプレビュー画像に対応する値をパラメータの値として処理対象の画像に対して行われた画像処理の結果を表す画像ファイルが画像処理部１２によって生成されて、画像ファイル蓄積部１０に蓄積され（ステップＳ１０）、画像編集装置１の動作は、終了する。
【００８３】
一方、プレビュー画像選択部１６による選択がパラメータの値を調整させるための選択である場合には（ステップＳ９：ＹＥＳ）、選択されたプレビュー画像に対応するパラメータの値が新たな基準値としてパラメータ基準値決定部１３によって決定され（ステップＳ１１）、現状の変動幅より短くなるように新たな変動幅がパラメータ変動幅決定部１４によって決定される（ステップＳ１２）。ここで、画像編集装置１の動作は、ステップＳ６に戻る。
【００８４】
なお、ステップＳ１２において、現状の変動幅がこれ以上短くできない場合には、現状の変動幅が新たな変動幅として再度決定される。例えば、現状の変動幅の最短値は、１としてもよく、入力装置６を用いてオプションボタン３５が操作されることにより表示される設定ウィンドウ上で設定できるようにしてもよい。
【００８５】
以上説明したように、本発明の第１の実施の形態としての画像編集装置１は、決定した基準値をパラメータの値とした画像処理の結果を表すプレビュー画像と、決定した変動幅で基準値を変動させていった値をパラメータの値とした画像処理の結果を表すプレビュー画像とを表示し、表示したプレビュー画像から１つのプレビュー画像をユーザに選択させていくことにより画像処理のパラメータの値を設定させるため、画像処理のパラメータをユーザに意識させずに、従来のものより自由かつ簡単に画像処理のパラメータの値を設定させることができる。
【００８６】
また、本発明の第１の実施の形態としての画像編集装置１は、パラメータの値の変更に伴って、処理対象の画像がどのように変化するかを複数のプレビュー画像でユーザに確認させることができる。
【００８７】
なお、本実施の形態において、パラメータ変動幅決定部１４は、パラメータの値を調整させるためにプレビュー画像選択部１６によってプレビュー画像が選択されたときには、現状の変動幅より短くなるように新たな変動幅を決定するものとして説明したが、本発明においては、パラメータ変動幅決定部１４は、現状の変動幅を新たな変動幅として常に決定するようにしてもよい。
【００８８】
例えば、図９に示すように、画像編集ウィンドウ３０が表示されている状態で、プレビュー画像選択部１６の第１選択機能によってプレビュー画像３８が選択された場合には、図１０に示すように、図９においてパラメータの値が１８４に対応するプレビュー画像３８が図１０における基準値（＝１８４）に対応するプレビュー画像３７として用いられ、図９においてパラメータの値が１９２に対応するプレビュー画像３７が図１０におけるプレビュー画像３９として用いられる。
【００８９】
また、新たにプレビュー画像表示領域３２に表示する１７６をパラメータの値とした画像処理の結果を表すプレビュー画像３８がプレビュー表示部１５によって新たに作成される。
【００９０】
このとき、プレビュー表示部１５は、前回の基準値に対応していたプレビュー画像３９に加えて、パラメータの値が１８４に対応するプレビュー画像３７をすでに作成しているため、プレビュー画像３７、３９を新たに作成する必要はない。
【００９１】
また、本実施の形態において、ハードディスク装置５によって画像ファイル蓄積部１０を構成した例について説明したが、本発明においては、画像編集装置１を構成するコンピュータ装置にネットワークを介して接続されたサーバ装置によって画像ファイル蓄積部１０を構成してもよい。
【００９２】
（第２の実施の形態）
本発明の第２の実施の形態は、本発明の第１の実施の形態におけるＣＰＵ２に実行させるプログラムを変更することによって実現され、機能ブロックも同様に分類されるため、本発明の第２の実施の形態については、図１および図２に示した画像編集装置１を用いて説明する。
【００９３】
また、本発明の第２の実施の形態における画像編集動作についても、図７および図８を参照して説明した本発明の第１の実施の形態における画像編集動作に基づいて、容易に想到できるため、その説明を省略する。
【００９４】
本発明の第２の実施の形態は、本発明の第１の実施の形態に対して、プレビュー表示部１５による画像編集ウィンドウ３０のプレビュー画像表示領域３２の表示が図１１に示すように相違する。
【００９５】
すなわち、プレビュー表示部１５は、パラメータ基準値決定部１３によって決定された基準値をパラメータの値とした画像処理の結果を表す第１プレビュー画像３７と、パラメータ変動幅決定部１４によって決定された変動幅で基準値を変動させていった値をパラメータの値とした画像処理の結果を表す第２プレビュー画像３８、３９と、第１および第２プレビュー画像３７乃至３９の間の該当する位置に対応する値をパラメータの値とした画像処理の結果を表す第３プレビュー画像４０、４１とをプレビュー画像表示領域３２に表示するようになっている。ここで、プレビュー表示部１５は、プレビュー画像３７乃至４１を対応するパラメータの値に応じた順序で１次元に並べて表示するようになっている。
【００９６】
プレビュー表示部１５は、プレビュー画像表示領域３２に第２プレビュー画像をより多く表示するため、第３プレビュー画像４０、４１を他のプレビュー画像３７乃至３９より小さいサイズで表示している。
【００９７】
なお、図１１においては、５個のプレビュー画像が示されているが、プレビュー表示部１５によってプレビュー画像表示領域３２に表示されるプレビュー画像の数を限定するものではない。
【００９８】
また、プレビュー表示部１５は、各プレビュー画像間に設けられた目盛りを表す記号としてのマーカ４２乃至４５と、プレビュー画像をシフトさせるためのボタン４６、４７とをプレビュー画像表示領域３２に表示するようになっている。
【００９９】
なお、図１１は、基準値が１９２であり、変動幅が３２であるときに、画像処理部１２によって２値化処理が実行された場合の表示例を示している。ここで、第３プレビュー画像４０は、第２プレビュー画像３８に対応するパラメータの値１６０と、第１プレビュー画像３７に対応するパラメータの値１９２との中間値であるパラメータの値１７６に対応している。
【０１００】
同様に、第３プレビュー画像４１は、第１プレビュー画像３７に対応するパラメータの値１９２と、第２プレビュー画像３９に対応するパラメータの値２２４との中間値であるパラメータの値２０８に対応している。
【０１０１】
また、マーカ４２乃至４５は、入力装置６を用いて選択可能になっており、各マーカ４２乃至４５は、両側のプレビュー画像の中間値であるパラメータの値に対応している。すなわち、マーカ４２は、パラメータの値１６８に対応し、マーカ４３は、パラメータの値１８４に対応し、マーカ４４は、パラメータの値２００に対応し、マーカ４５は、パラメータの値２１６に対応している。
【０１０２】
プレビュー表示部１５は、ボタン４６、４７の何れかが操作されると、プレビュー画像をシフトするようになっている。例えば、プレビュー表示部１５は、入力装置６を用いてボタン４７が操作されると、第２プレビュー画像３８を第２プレビュー画像３９が表示されていた位置に表示する。
【０１０３】
また、画像処理部１２は、第１プレビュー画像３７、第２プレビュー画像３８、および、第３プレビュー画像４０、４１が表示されていた位置に対応する新たな各値をパラメータの値とした画像処理を実行し、プレビュー表示部１５は、画像処理の各結果を該当する位置に表示する。また、各マーカ４２乃至４５に対応するパラメータの値もシフト量（＝６４）分減算される。
【０１０４】
なお、本発明の第２の実施の形態は、本発明の第１の実施の形態に対して、プレビュー表示部１５が、図１２に示すように画像編集ウィンドウ３０のプレビュー画像表示領域３２を表示するようにしてもよい。
【０１０５】
すなわち、プレビュー表示部１５は、パラメータ基準値決定部１３によって決定された基準値をパラメータの値とした画像処理の結果を表す第１プレビュー画像３７と、パラメータ変動幅決定部１４によって決定された変動幅で基準値を変動させていった値をパラメータの値とした画像処理の結果を表す第２プレビュー画像５０乃至５５とをプレビュー画像表示領域３２に表示するようになっている。ここで、プレビュー表示部１５は、プレビュー画像３７、５０乃至５５を対応するパラメータの値に応じた順序で１次元に並べて表示するようになっている。
【０１０６】
なお、図１２においては、７個のプレビュー画像が示されているが、プレビュー表示部１５によってプレビュー画像表示領域３２に表示されるプレビュー画像の数を限定するものではない。
【０１０７】
また、プレビュー表示部１５は、各プレビュー画像間に設けられたマーカ５６乃至６１と、プレビュー画像をシフトさせるためのボタン４６、４７とをプレビュー画像表示領域３２に表示するようになっている。
【０１０８】
なお、図１２は、基準値が１９２であり、変動幅が８であるときに、画像処理部１２によって２値化処理が実行された場合の表示例を示している。ここで、第２プレビュー画像５０は、パラメータの値１６８に対応し、第２プレビュー画像５１は、パラメータの値１７６に対応し、第２プレビュー画像５２は、パラメータの値１８４に対応している。
【０１０９】
また、第２プレビュー画像５３は、パラメータの値２００に対応し、第２プレビュー画像５４は、パラメータの値２０８に対応し、第２プレビュー画像５５は、パラメータの値２１６に対応している。
【０１１０】
マーカ５６乃至６１は、入力装置６を用いて選択可能になっており、各マーカ５６乃至６１は、両側のプレビュー画像の中間値であるパラメータの値に対応している。すなわち、マーカ５６は、パラメータの値１７２に対応し、マーカ５７は、パラメータの値１８０に対応し、マーカ５８は、パラメータの値１８８に対応し、マーカ５９は、パラメータの値１９６に対応し、マーカ６０は、パラメータの値２０４に対応し、マーカ６１は、パラメータの値２１２に対応している。
【０１１１】
プレビュー表示部１５は、ボタン４６、４７の何れかが操作されると、プレビュー画像をシフトするようになっている。例えば、プレビュー表示部１５は、入力装置６を用いてボタン４７が操作されると、第２プレビュー画像５０を第２プレビュー画像５５が表示されていた位置に表示する。
【０１１２】
また、画像処理部１２は、第１プレビュー画像３７および第２プレビュー画像５０乃至５４が表示されていた位置に対応する新たな各値をパラメータの値とした画像処理を実行し、プレビュー表示部１５は、画像処理の各結果を該当する位置に表示する。また、各マーカ５６乃至６１に対応するパラメータの値もシフト量（＝４８）分減算される。
【０１１３】
また、プレビュー表示部１５は、入力装置６を用いてカーソルが置かれたプレビュー画像を拡大表示するようになっている。なお、図１２は、第１プレビュー画像３７上にカーソルが置かれた状態を示し、図１３は、第２プレビュー画像５３上にカーソルが置かれた状態を示している。
【０１１４】
以上説明したように、本発明の第２の実施の形態としての画像編集装置１は、本発明の第１の実施の形態としての画像編集装置１が有する作用効果に加え、一画面上で選択できるパラメータの値の数を多くすることにより、ユーザがプレビュー画像を選択するための操作回数を抑えることができ、パラメータの値を設定するためにユーザにかかる手間を省くことができる。
【０１１５】
（第３の実施の形態）
本発明の第３の実施の形態は、本発明の第１の実施の形態におけるＣＰＵ２に実行させるプログラムを変更することによって実現され、機能ブロックも同様に分類されるため、本発明の第３の実施の形態については、図１および図２に示した画像編集装置１を用いて説明する。
【０１１６】
また、本発明の第３の実施の形態における画像編集動作についても、図７および図８を参照して説明した本発明の第１の実施の形態における画像編集動作に基づいて、容易に想到できるため、その説明を省略する。
【０１１７】
本発明の第３の実施の形態は、本発明の第１の実施の形態に対して、プレビュー表示部１５による画像編集ウィンドウ３０のプレビュー画像表示領域３２の表示が図１４に示すように相違する。
【０１１８】
すなわち、本発明の第１の実施の形態においては、画像編集ウィンドウ３０を用いて１種別のパラメータの値を選択させていたが、本実施の形態においては、画像編集ウィンドウ３０を用いて２種別のパラメータの値を選択させることができるようになっている。
【０１１９】
図１４において、プレビュー表示部１５は、パラメータ基準値決定部１３によって決定された基準値をパラメータの値とした画像処理の結果を表す第１プレビュー画像３７と、パラメータ変動幅決定部１４によって決定された変動幅で基準値を変動させていった値をパラメータの値とした画像処理の結果を表す第２プレビュー画像７０乃至７７とを全て同じサイズでプレビュー画像表示領域３２に表示するようになっている。
【０１２０】
ここで、プレビュー表示部１５は、プレビュー画像３７、７０乃至７７を対応するパラメータの各値に応じた順序で２次元に並べて表示するようになっている。なお、図１４においては、９個のプレビュー画像が示されているが、プレビュー表示部１５によってプレビュー画像表示領域３２に表示されるプレビュー画像の数を限定するものではない。
【０１２１】
また、プレビュー表示部１５は、プレビュー画像をシフトさせるためのボタン８０乃至８３をプレビュー画像表示領域３２に表示するようになっている。
【０１２２】
なお、図１４は、プレビュー表示部１５が、画像処理部１２による２値化処理の結果を表すプレビュー画像を走査方向に並べて表示し、２値化処理の各結果に対する画像処理部１２によるコントラスト調整処理の結果を表すプレビュー画像を副走査方向に並べて表示した例を示している。
【０１２３】
プレビュー表示部１５は、ボタン８０乃至８３の何れかが操作されると、プレビュー画像をシフトするようになっている。例えば、プレビュー表示部１５は、入力装置６を用いてボタン８１が操作されると、第２プレビュー画像７５乃至７７を第２プレビュー画像７０乃至７２が表示されていた位置にそれぞれ表示させる。
【０１２４】
また、画像処理部１２は、第１プレビュー画像３７および第２プレビュー画像７３乃至７７が表示されていた位置に対応する新たな各値をパラメータの値とした画像処理を実行し、プレビュー表示部１５は、画像処理の各結果を該当する位置に表示する。
【０１２５】
なお、本実施の形態において、パラメータ基準値決定部１３は、各画像処理のパラメータに対して基準値を決定するようになっており、パラメータ変動幅決定部１４は、各画像処理のパラメータに対して変動幅を決定するようになっている。
【０１２６】
以上説明したように、本発明の第３の実施の形態としての画像編集装置１は、本発明の第１の実施の形態としての画像編集装置１と同様に、画像処理のパラメータをユーザに意識させずに、２つの画像処理のパラメータの各値、または、１つの画像処理の２つのパラメータの各値を従来のものより自由かつ簡単に設定させることができる。
【０１２７】
また、本発明の第３の実施の形態としての画像編集装置１は、各パラメータの値の変更に伴って、処理対象の画像がどのように変化するかを複数のプレビュー画像でユーザに確認させることができる。
【０１２８】
（第４の実施の形態）
本発明の第４の実施の形態は、本発明の第１の実施の形態におけるＣＰＵ２に実行させるプログラムを変更することによって実現され、機能ブロックも同様に分類されるため、本発明の第４の実施の形態については、図１および図２に示した画像編集装置１を用いて説明する。
【０１２９】
また、本発明の第４の実施の形態における画像編集動作についても、図７および図８を参照して説明した本発明の第１の実施の形態における画像編集動作に基づいて、容易に想到できるため、その説明を省略する。
【０１３０】
本発明の第４の実施の形態は、本発明の第１の実施の形態に対して、プレビュー表示部１５による画像編集ウィンドウ３０のプレビュー画像表示領域３２の表示が図１５に示すように相違する。
【０１３１】
すなわち、本発明の第１の実施の形態においては、画像編集ウィンドウ３０を用いて１種別のパラメータの値を選択させていたが、本実施の形態においては、画像編集ウィンドウ３０を用いて３種別のパラメータの値を選択させることができるようになっている。
【０１３２】
図１５において、プレビュー表示部１５は、パラメータ基準値決定部１３によって決定された基準値をパラメータの値とした画像処理の結果を表す第１プレビュー画像３７と、パラメータ変動幅決定部１４によって決定された変動幅で基準値を変動させていった値をパラメータの値とした画像処理の結果を表す第２プレビュー画像９０乃至１００とを全て同じサイズでプレビュー画像表示領域３２に表示するようになっている。
【０１３３】
ここで、プレビュー表示部１５は、プレビュー画像３７、９０乃至１００を対応するパラメータの値に応じた順序で３次元的に並べて表示するようになっている。なお、図１５においては、１２個のプレビュー画像が示されているが、プレビュー表示部１５によってプレビュー画像表示領域３２に表示されるプレビュー画像の数を限定するものではない。
【０１３４】
また、プレビュー表示部１５は、プレビュー画像をシフトさせるためのボタン８０乃至８３と、プレビュー画像の配置を変更するための視点変更ボタン１１０とをプレビュー画像表示領域３２に表示するようになっている。
【０１３５】
なお、図１５は、プレビュー表示部１５が、画像処理部１２による２値化処理の結果を表すプレビュー画像を走査方向に並べて表示し、２値化処理の各結果に対する画像処理部１２によるコントラスト調整処理の結果を表すプレビュー画像を副走査方向に並べて表示し、２値化処理とコントラスト調整処理との各結果に対する鮮鋭化処理の結果を表すプレビュー画像を視覚的な奥行方向に少なくとも一部を重ねながら並べて表示した例を示している。
【０１３６】
ボタン８０乃至８３については、本発明の第３の実施の形態で説明したボタン８０乃至８３と同一な目的で設けられているため説明を省略する。
【０１３７】
視点変更ボタン１１０は、走査方向に並べて表示されたプレビュー画像を視覚的な奥行方向に並べて表示させ、視覚的な奥行方向に並べて表示されたプレビュー画像を走査方向に並べて表示させるために設けられている。
【０１３８】
すなわち、プレビュー表示部１５は、入力装置６を用いて視点変更ボタン１１０が操作されると、プレビュー画像表示領域３２を図１６に示すように表示するようになっている。
【０１３９】
図１６において、プレビュー表示部１５は、視点変更ボタン１１０に代えて、視点変更ボタン１１１をプレビュー画像表示領域３２に表示するようになっている。
【０１４０】
視点変更ボタン１１１は、走査方向に並べて表示されたプレビュー画像を視覚的な奥行方向に並べて表示させ、視覚的な奥行方向に並べて表示されたプレビュー画像を走査方向に並べて表示させるために設けられている。
【０１４１】
すなわち、プレビュー表示部１５は、入力装置６を用いて視点変更ボタン１１１が操作されると、プレビュー画像表示領域３２を図１５に示すように表示するようになっている。
【０１４２】
なお、本実施の形態において、パラメータ基準値決定部１３は、各画像処理のパラメータに対して基準値を決定するようになっており、パラメータ変動幅決定部１４は、各画像処理のパラメータに対して変動幅を決定するようになっている。
【０１４３】
以上説明したように、本発明の第４の実施の形態としての画像編集装置１は、本発明の第１の実施の形態としての画像編集装置１と同様に、画像処理のパラメータをユーザに意識させずに、３つの画像処理のパラメータの各値、１つの画像処理の２つのパラメータの各値と１つの画像処理の１つのパラメータの各値との組み合わせ、または、１つの画像処理の３つのパラメータの各値を従来のものより自由かつ簡単に設定させることができる。
【０１４４】
また、本発明の第４の実施の形態としての画像編集装置１は、各パラメータの値の変更に伴って、処理対象の画像がどのように変化するかを複数のプレビュー画像でユーザに確認させることができる。
【符号の説明】
【０１４５】
１  画像編集装置
２  ＣＰＵ
３  ＲＡＭ
４  ＲＯＭ
５  ハードディスク装置
６  入力装置
７  表示装置
８  記憶媒体読取装置
９  通信モジュール
１０  画像ファイル蓄積部
１１  画像ファイル選択部
１２  画像処理部
１３  パラメータ基準値決定部
１４  パラメータ変動幅決定部
１５  プレビュー表示部
１６  プレビュー画像選択部
３０  画像編集ウィンドウ
３１  オリジナル画像表示領域
３２  プレビュー画像表示領域
【先行技術文献】
【特許文献】
【０１４６】
【特許文献１】特許第３８９００９６号明細書
【図１】
2010187093.tif 000003
【図２】
2010187093.tif 000004
【図３】
2010187093.tif 000005
【図４】
2010187093.tif 000006
【図５】
2010187093.tif 000007
【図６】
2010187093.tif 000008
【図７】
2010187093.tif 000009
【図８】
2010187093.tif 000010
【図９】
2010187093.tif 000011
【図１０】
2010187093.tif 000012
【図１１】
2010187093.tif 000013
【図１２】
2010187093.tif 000014
【図１３】
2010187093.tif 000015
【図１４】
2010187093.tif 000016
【図１５】
2010187093.tif 000017
【図１６】
2010187093.tif 000018